(57)【要約】【課題】例えば携帯端末装置を上着の胸ポケットに入れた場合でも、携帯端末装置をポケットから取り出すことなく、サブ画面の内容を確認できる携帯端末装置を提供することを目的とする。【解決手段】筐体に対してほぼ１８０°回動可能なカメラ２０と、このカメラ２０により撮像された映像を表示する表示部と、このカメラ２０と一体構成として各種情報を表示する副表示部２２とを備えるようにしたものである。【選択図】  図３
2004274404.tif 000002
【特許請求の範囲】
【請求項１】
筐体に対して回動可能なカメラと、
前記カメラにより撮像された映像を表示する表示部と、
前記カメラと一体構成として各種情報を表示する副表示部とを備えた
ことを特徴とするカメラ機能付き携帯端末装置。
【請求項２】
請求項１記載のカメラ機能付き携帯端末装置において、
前記カメラのレンズと前記副表示部の位置関係が、前記カメラの回動軸を中心として１８０°である
ことを特徴とするカメラ機能付き携帯端末装置。
【請求項３】
請求項２記載のカメラ機能付き携帯端末装置において、
前記カメラを折畳み型の携帯端末装置のヒンジ部に設けるようにした
ことを特徴とするカメラ機能付き携帯端末装置。
【請求項４】
請求項２記載のカメラ機能付き携帯端末装置において、
前記カメラのレンズと前記カメラにより撮像された映像を表示する表示部とがほぼ反対方向を向いている場合には、前記副表示部にカメラ情報を表示するようにした
ことを特徴とするカメラ機能付き携帯端末装置。
【請求項５】
請求項２記載のカメラ機能付き携帯端末装置において、
前記カメラのレンズと前記カメラにより撮像された映像を表示する表示部とがほぼ同方向を向いている場合には、前記表示部にカメラ情報を表示するとともに、前記副表示部への電源の供給を停止するようにした
ことを特徴とするカメラ機能付き携帯端末装置。
【発明の詳細な説明】
【０００１】
【発明の属する技術分野】
本発明は、例えば回動機構を有するカメラを備えた携帯電話機に適用して好適なカメラ機能付き携帯端末装置に関する。
【０００２】
【従来の技術】
近年、例えば携帯電話機などの携帯端末装置において、ＬＣＤ（Ｌｉｑｕｉｄ  Ｃｒｙｓｔａｌ  Ｄｉｓｐｌａｙ）等からなる表示部（以下、メイン画面と称する。）以外の副表示部（以下、サブ画面と称する。）、カメラ等のさまざまな付加機能を有するものが主流になってきている。
【０００３】
サブ画面はメイン画面が設けられた筐体の反対側に設けられているのが一般的である。例えば折畳み型の携帯電話機の場合、折畳んだ状態でサブ画面を表示できるものが多く、例えば机等に置いている場合に電話が掛かってきたとき、折畳んだ状態でサブ画面の表示内容を見ることができ、発呼者の電話番号や発呼者名称を含む着信情報を確認できて大変便利である。（例えば、特許文献１参照。）。
【０００４】
一方、カメラ機能付き携帯電話機ではカメラが本体に固定されたもの、回動機構を有するもの、カメラのレンズを保護するためのカバーを持ったもの等がある。例えば、回動機構を有するカメラ機能付き携帯電話機においては、メイン画面上にカメラにより撮像された映像が表示され、利用者はこの画面上に表示された映像を見ながらカメラを回動自在に操作して相手撮りや自分撮りといった撮影を楽しむことができる（例えば、特許文献２参照。）。
【０００５】
【特許文献１】
特開２００１−１３６２４７号公報
【特許文献２】
特開２００２−９４６２９号公報
【０００６】
【発明が解決しようとする課題】
しかしながら、サブ画面は回動機構を有するカメラのように動かすことはできず携帯電話機本体に固定されたままなので、例えば携帯電話機を上着の胸ポケット等に入れた場合には、携帯電話機をポケットから取り出して、携帯電話機のサブ画面が配置されている面を利用者側に向けなければサブ画面の表示内容を見ることができないという不都合が生じる問題があった。
【０００７】
斯かる点に鑑み、本発明は、例えば携帯端末装置を上着の胸ポケットに入れた場合でも、携帯端末装置をポケットから取り出すことなく、サブ画面の内容を確認できるようにした携帯端末装置を提供しようとするものである。
【０００８】
【課題を解決するための手段】
本発明カメラ機能付き携帯端末装置は、筐体に対して回動可能なカメラと、このカメラにより撮像された映像を表示する表示部と、このカメラと一体構成として各種情報を表示する副表示部とを備えるようにしたものである。
【０００９】
斯かる本発明によれば、副表示部をカメラと一体構成としたので、副表示部を回転させることができ、副表示部の位置を自在に変更することができる。
【００１０】
【発明の実施の形態】
以下、添付図面を参照して、本発明カメラ機能付き携帯端末装置の一実施の形態の例につき、持ち運び可能ないわゆる携帯電話機に適用した場合について説明する。
【００１１】
本例においては、いわゆる折畳み型携帯電話機に適用した例としてあり、図１に本例の折畳み型携帯電話機の下側筐体と上側筐体が全開状態の外観斜視図を示す。
【００１２】
図１において、１は下側筐体、１１は上側筐体であり、この下側筐体１と上側筐体１１はヒンジ部１０により開閉自在に接続され、この下側筐体１の内側（閉じた状態のとき上側筐体１１と接する面）には、操作ボタン群２、回転式操作部のいわゆるジョグダイアル３、マイクロホン４が設けられている。
【００１３】
上側筐体１１の内側には、この折畳み型携帯電話機を開いた状態において主に使用される例えばＬＣＤ（Ｌｉｑｕｉｄ  Ｃｒｙｓｔａｌ  Ｄｉｓｐｌａｙ）からなる表示部（以下、メイン画面と称する。）１２、スピーカ１３が設けられている。さらに、上側筐体１１の上端部には、ＣＣＤ（Ｃｈａｒｇｅ  Ｃｏｕｐｌｅｄ  Ｄｅｖｉｃｅ）型  やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型等の撮像素子を格納し、筐体に対しほぼ１８０°回動可能な回動体から構成されるカメラ２０が設けられている。このカメラ２０には、周知の技術による図示しない回動機構が形成されているとともに、ＬＣＤなどからなる副表示部（以下、サブ画面と称する。）２２が一体構成になされている。
２１はカメラ２０のレンズである。
【００１４】
図２は本例の折畳み型携帯電話機の下側筐体と上側筐体が半開状態の外観斜視図を示しす。図中、上側筐体１１の上端部に設けられたカメラ２０のレンズ２１が上側筐体１１の外側を向いている状態を表している。また、図示しないが無線信号を送信および受信するためのアンテナを備える。
【００１５】
利用者はこの携帯電話機のカメラ２０を自由に回転させて、カメラ２０のレンズ２１とカメラ２０により撮像された映像を表示するメイン画面１２がほぼ反対方向を向いている状態における相手撮り、およびレンズ２１とメイン画面１２がほぼ同方向を向いている状態における自分撮りを楽しむことができる。
【００１６】
図３は、本例の回動機構を有するカメラ２０の外観図を示し、カメラ２０のレンズ２１とサブ画面２２とが回動軸を中心として１８０°の位置に配置され、換言すると表裏一体に回動体を構成している。この例のカメラ２０は円筒形状であるが角張った形状であってもよいし、回転を妨げない限りその他種々の形状を取り得る。
【００１７】
図３Ａはカメラ２０のレンズ２１が上を、サブ画面２２が下を向いている状態を表し、図３Ｂは図３Ａの状態からレンズ２１を紙面手前方向に９０°回転させた状態を表し、図３Ｃはレンズ２１を更に同じ方向に９０°（図３Ａから起算すれば１８０°）回転させた状態を表す。この図３Ａ，Ｂ，Ｃより理解できるように、カメラ２０のレンズ２１とサブ画面２２は、カメラ２０の回動軸を中心として１８０°の位置に配置されているので、表裏一体となって回転する。
【００１８】
図４は、本例の携帯電話機の回路構成の例を示すブロック線図である。
【００１９】
１１０はシステム全体の制御を行う制御部、１０７は各種情報を格納したり制御部１１０が制御を行うのに必要な作業領域を提供する汎用ＲＡＭ（Ｒａｎｄｏｍ  Ａｃｃｅｓｓ  Ｍｅｍｏｒｙ）、１０８は各種制御プログラム等を格納したＲＯＭ（Ｒｅａｄ  Ｏｎｌｙ  Ｍｅｍｏｒｙ）である。この制御部１１０は、演算・制御用のＣＰＵ（Ｃｅｎｔｒａｌ  Ｐｒｏｃｅｓｓｉｎｇ  Ｕｎｉｔ）１１１を備え、図示しないシステムバスを通じてＲＡＭ１０７、ＲＯＭ１０８および各種周辺デバイスと接続するための外部インターフェース１１２と接続されており、例えば操作部２または３を操作すると、その操作出力が外部インターフェース１１２およびシステムバスを介してＣＰＵ１１１に供給され、ＣＰＵ１１１によりＲＯＭ１０８のプログラムにしたがって所定の処理が行われる。
【００２０】
１０１は無線信号を送信および受信するアンテナであり受信信号および送信信号を１つのアンテナで共用するアンテナ共用器１０２と接続され、制御部１１０からの送信信号は変調器１０３、アンテナ共用器１０２を介してアンテナ１０１より送信され、アンテナ１０１より受信した受信信号はアンテナ共用器１０２、復調器１０４を介して制御部１１０に供給される。
【００２１】
基地局から電話の呼び出しや電子メールをアンテナ１０１を介して復調器１０４にて受信すると、受信信号が制御部１１０に供給され、制御部１１０はスピーカ１３からの音声で電話の呼び出しや電子メールの受信を利用者に知らせたり、操作ボタン群２の背面に設けられたＬＥＤ１０５による点滅表示により知らせたり、またバイブレータ１０６によって体感振動で知らせるようにしている。またこのとき、制御部１１０は図示しないディスプレイコントローラを介して表示装置１２または２２の画面上に相手の電話番号や電子メール送信者のアドレスを表示するようにしている。
【００２２】
呼び出しに応じて利用者が電話に出ると、相手の音声信号がアンテナ１０１を介して復調器１０４にて受信され、制御部１１０を介してスピーカ１３に供給され、また、マイクロホン４からの自分の音声信号が制御部１１０より変調器１０３を介してアンテナ１０１に供給されて基地局へ送信される。こうして相手との通話が行われる。また、受信した電子メールを開封するとメールの内容を表示装置１２または２２の画面上に表示する。
【００２３】
カメラ２０はレンズ２１を通して所望の画角設定で被写体の映像を取り込み、取り込まれた映像は制御部１１０を介して表示装置１２に表示され、そして表示された映像を操作ボタン群２などに設けられたシャッターボタンを押して所望の静止画や動画を図示しない内部の不揮発性メモリまたはリムーバブルな記録媒体に保存することができる。
【００２４】
次に、本例の携帯電話機のカメラ２０の周辺の構成について詳細に説明する。図５は本例のカメラ２０の回動位置を検出するための回路構成を示す。
【００２５】
図５において、磁石１５０およびセンサ１５１，１５２はカメラ２０の回動位置、即ちレンズ２１の向きを検出するカメラ位置検出手段であり、例えばカメラ２０の筐体所定位置に磁石１５０を設けるとともに、センサ１５１，１５２を携帯電話機本体に例えばカメラ２０を挟んで対向するように設ける。センサ１５１，１５２は例えば磁気センサとして一般に用いられるホール素子を用いている。メモリ１１５は不揮発性メモリからなり、カメラ位置に応じて撮影モードを判断しメイン画面１２およびサブ画面２２の表示を切り替えるととともに電源の管理を行うためのプログラムが内蔵されている。
【００２６】
例えば携帯電話機の図示しないカメラスイッチがオンであり図５に示すカメラ位置が相手撮りであるとした場合に、磁石１５０とセンサ１５１が近接すると、センサ１５１は磁石１５０が近接しているのを検知してこの検出信号を制御部１１０に送信する。図３にも示したように制御部１１０はＣＰＵ１１１および外部インターフェース１１２を有し、センサ１５１または１５２からの検出信号とともにカメラ２０よりの映像信号が供給されており、センサ１５１からの検出信号を受けると、カメラ２０の回動位置を相手撮りであると判断し、カメラ２０により撮像された映像をメイン画面１２に表示するとともに、サブ画面２２にカメラ２０の機能に関する詳細情報（以下、カメラ情報と称する。）、例えばシャッタースピード、絞り、フォーカスの具合、フラッシュの有無等を表示するようにする。
【００２７】
これに対し、例えば図５に示す状態からカメラ２０を１８０°回転させて自分撮りとした場合、磁石１５０が反転してセンサ１５２に近づくと、センサ１５２は磁石１５０が近接したことを検出し制御部１１０に検出信号を送信する。制御部１１０はセンサ１５２からの検出信号を受信し、カメラ２０の回動位置が自分撮りの位置であると判断し、カメラ２０により撮像された映像とともにカメラ情報をメイン画面１２に表示する。このとき、制御部１１０から電源１１６に指令を出してサブ画面２２への電源の供給を断つようにする。
【００２８】
尚、このカメラ位置検出手段は上述例の磁石とホール素子の組み合わせのような非接触式だけでなく、接触式のセンサであってもよい。また中間のカメラ位置を検出したい場合には、例えば９０°の等間隔になるようセンサ１５１と１５２の間にセンサを追設するようにすればよい。
【００２９】
以下、図６および図７を参照して、本例の携帯電話機のカメラ位置に応じたカメラ情報の表示および表示部への電源の供給について説明する。
【００３０】
図６Ａは本例の折畳み型携帯電話機の相手撮り状態の正面図、図６Ｂは同自分撮り状態の正面図を示す。図６Ａのように、レンズ２１とサブ画面２２とが表裏一体に配置されたカメラ２０の図示されないレンズ２１が携帯電話機本体の外側（紙面奥行き方向）を向き、かつサブ画面２２が利用者側（紙面手前方向）を向いている相手撮りの状態となっている場合は、図５に示したように制御部１１０は相手撮りの撮影モードになっていることを判断して、カメラ２０により撮像された映像をメイン画面１２に表示するとともに、カメラ情報をサブ画面２２に表示する。
【００３１】
即ち、図７に撮影モードと画面表示／電源の対応表を示すと、カメラ２０が相手撮りの撮影モードのときは、被写体の映像はメイン画面１２、カメラ情報はサブ画面２２にそれぞれ表示する。そして、メイン画面１２およびサブ画面２２の電源は入のままとする。
【００３２】
このようにメイン画面１２に被写体の映像のみを表示し、カメラ情報はカメラ２０と一体構成とされたサブ画面２２に表示することで、被写体の映像とカメラ情報の表示とを分離することができるので、従来のように被写体の映像とカメラ情報の表示が重なりあったりすることが無く、被写体の映像をすっきりと見やすいものにすることができる。
【００３３】
一方、図６Ｂのように、レンズ２１とサブ画面２２とが表裏一体に配置されたカメラ２０のレンズ２１が利用者側（紙面手前方向）を向き、かつ図示されないサブ画面２２が外側（紙面奥行き方向）を向いている自分撮りの状態となっている場合は、図５に示したように制御部１１０は自分撮りの撮影モードになっていることを判断して、カメラ２０により撮像された映像をメイン画面１２に表示するとともに、カメラ情報もメイン画面１２に表示する。このとき、サブ画面２２はレンズ２１と表裏一体の位置関係のため利用者からは見ることができない。したがって、節電のためにサブ画面２２への電源の供給を停止するようにする。
【００３４】
即ち、図７に撮影モードと画面表示／電源の対応表を示すと、カメラ２０が自分撮りの撮影モードのときは、被写体の映像およびカメラ情報ともにメイン画面１２に表示する。そして、メイン画面１２の電源は入のままでサブ画面２２への電源供給のみ停止する。
【００３５】
このようにすることで、無駄な電力消費を抑えることができ、限られたバッテリー資源を有効に利用することができる。
【００３６】
図８Ａ，Ｂ，Ｃに本例の折畳み型携帯電話機を閉じた状態において、ぞれぞれカメラをさまざまな角度に回転させたときの様子を表す。図８Ａは閉じられた折畳み型携帯電話機を上側筐体１１側から見たものであり、カメラ２０のレンズ２１が携帯電話機本体側に隠れるととともに表裏一体に設けられているサブ画面２２が外側（筐体長手方向）を向くようにしたものである。
【００３７】
図８Ｂは、図８Ａの状態からカメラ２０を約９０°回転させたもので、上側筐体１１側からレンズ２１を見ることができる。
【００３８】
図８Ｃは、図８Ａの状態からカメラ２０を約９０°回転させたもので、上側筐体１１側からサブ画面２２を見ることができる。
【００３９】
このように、回動可能なカメラ２０を任意に回転させることにより、図８Ａのようにサブ画面２２がヒンジ部とは反対側方向から見られると同時にレンズ２１を本体側に隠すことで保護したり、図８Ｂ，Ｃのようにサブ画面２２を上側筐体１１または下側筐体１のいずれか一方側から見えるようにしたりすることができる。
【００４０】
尚、サブ画面２２の表示については、カメラ２０が所望の回転位置で保持されるよう構成して、利用者の好みに合わせて向きを変更することができるようにしておく。
【００４１】
図９は、本例の折畳み型携帯電話機を例えば上着の胸ポケットに入れた場合を想定したものである。即ち、図８Ａに示す携帯電話機のサブ画面２２を上側に回動することにより、胸ポケットに携帯電話機を入れっぱなしにしても矢印方向からサブ画面２２の表示内容が見られるので、例えば発呼者の電話番号や発呼者名称を含む着信情報を確認することができ、とりわけ混雑した電車内等で使用して大変使い勝手がよい。また、この場合レンズ２１は本体側に隠れ、外部に向かって剥き出しになっていないので、レンズ２１を保護するためのカバーを有することなくレンズの保護を行うことができる。
【００４２】
斯かる本例によれば、回動機構を有するカメラ２０にサブ画面２２を一体に設けたので、例えば携帯電話機を上着の胸ポケットに入れた場合でも、サブ画面２２を上側にして携帯電話機をポケットから取り出すことなく、サブ画面２２の表示内容を確認することができる。
【００４３】
また、カメラ２０を回転させてレンズ２１を携帯電話機本体側に隠すことができるので、レンズ２１を保護するためのカバーを有することなくレンズ２１の保護を行うことができる。
【００４４】
また、カメラ２０のレンズ２１とサブ画面２２を１８０°の間隔で配置して、カメラ２０で撮影する際の撮影モードが相手撮りである場合には、カメラ情報をサブ画面２２に表示するようにしたので、メイン画面１２に表示される被写体の映像をすっきりと見やすいものにすることができる。
【００４５】
またさらに、撮影モードが自分撮りである場合には、利用されないサブ画面２２への電源供給を停止するようにしたので、無駄な電力消費を抑えることができる。
【００４６】
次に、本発明カメラ機能付き携帯端末装置の他の実施の形態の例を示す。図１０〜図１２においては、カメラ２０を折畳み型携帯電話機のヒンジ部の中間部に設けるようにしたものであり、その他は図１例と同様の構成とし、この図１０〜図１２において図１に対応する部分には同一符号を付す。
【００４７】
図１０Ａは本例の折畳み型携帯電話機の相手撮り状態の正面図、図１０Ｂは同自分撮り状態の正面図を示す。図６Ａ例と同様、レンズ２１とサブ画面２２とが表裏一体に配置されたカメラ２０の図示されないレンズ２１が携帯電話機本体の外側（紙面奥行き方向）を向き、かつサブ画面２２が利用者側（紙面手前方向）を向いた相手撮りの状態となっている場合、図５に示したように制御部１１０は相手撮りの撮影モードになっていることを判断して、カメラ２０により撮像された映像をメイン画面１２に表示するとともに、カメラ情報をサブ画面２２に表示する。
【００４８】
即ち、図７に撮影モードと画面表示／電源の対応表を示すと、相手撮りの撮影モードのときは、被写体の映像はメイン画面１２、カメラ情報はサブ画面２２にそれぞれ表示し、メイン画面１２およびサブ画面２２の電源は入のままとする。このように、本例においては図６Ａと同様の作用効果が得られる。
【００４９】
また、図６Ｂ例と同様、図１０Ｂはレンズ２１とサブ画面２２とが表裏一体に配置されたカメラ２０のレンズ２１が利用者側（紙面手前方向）を向き、かつ図示されないサブ画面２２が外側（紙面奥行き方向）を向いた自分撮りの状態となっている場合は、図５に示したように制御部１１０は自分撮りの撮影モードになっていることを判断して、カメラ２０により撮像された映像をメイン画面１２に表示するとともに、カメラ情報もメイン画面１２に表示する。このとき、サブ画面２２への電源供給を停止する。
【００５０】
即ち、図７に撮影モードと画面表示／電源の対応表を示すと、自分撮りの撮影モードのときは、被写体の映像およびカメラ情報ともにメイン画面１２に表示し、メイン画面１２の電源は入のままサブ画面２２への電源供給を停止する。このように、本例においては図６Ｂと同様の作用効果が得られる。
【００５１】
図１１Ａ，Ｂ，Ｃに本例の折畳み型携帯電話機を閉じた状態において、ぞれぞれカメラをさまざまな角度に回転させたときの様子を表す。図１１Ａは閉じられた折畳み型携帯電話機を上側筐体２１１側から見たものであり、カメラ２０のレンズ２１が携帯電話機本体側に隠れるととともに表裏一体に設けられているサブ画面２２が外側（筐体長手方向）を向くようにしたものである。
【００５２】
図１１Ｂは、図１１Ａの状態からカメラ２０を約９０°回転させたもので、レンズ２１が上側筐体２１１側から見ることができる。
【００５３】
図１１Ｃは、図１１Ａの状態からカメラ２０を約９０°回転させたもので、サブ画面２１が上側筐体２１１側から見ることができる。
【００５４】
このように、図１１Ａ，Ｂ，Ｃ例は、それぞれ図８Ａ，Ｂ，Ｃ例と同様の作用効果が得られる。
【００５５】
図１２は、本例の折畳み型携帯電話機を例えば上着の胸ポケットに入れた場合を想定したものである。即ち、図１１Ａに示す携帯電話機のサブ画面２２を上側にすれば、胸ポケットに携帯電話機を入れっぱなしにしても矢印方向からサブ画面２２の表示内容を確認することができ、また、この場合レンズ２１は本体側に隠れ外部に向かって剥き出しにらないのでレンズ２１を保護することもできる。このように、図１２例においては図９例と同様の作用効果が得られる。
【００５６】
尚、折畳み型の携帯電話機を例に説明したが、折畳み型ではなくスティックタイプの形状でもよい。また、回動可能なカメラおよびサブ画面を有するＰＤＡ（携帯情報端末）およびデジタルカメラなどにも適用することができる。
【００５７】
また、本発明は上述した実施の形態の例に限られるものではなく、本発明の要旨を逸脱することなくその他種々の構成を取り得ることは勿論である。
【００５８】
【発明の効果】
斯かる本発明によれば、副表示部をカメラと一体構成としたので、副表示部を回転させることができ、副表示部の位置を自在に変更することができる。例えば携帯端末装置を上着の胸ポケットに入れた場合でも、副表示部を上側に回動させて携帯端末装置をポケットから取り出すことなく、副表示部の表示内容を確認することができ、非常に使い勝手が良い。
【図面の簡単な説明】
【図１】本発明一実施の形態の例の折畳み型携帯電話機の全開状態の外観斜視図である。
【図２】図１の折畳み型携帯電話機のやや開いた状態の外観斜視図である。
【図３】本発明の一実施の形態の例の副表示部と一体構成のカメラの概略外観図である。
【図４】本発明の一実施の形態の例の携帯電話機の回路構成の例を示すブロック線図である。
【図５】本発明の一実施の形態の例の携帯電話機のカメラの周辺の構成を示すブロック線図である。
【図６】本発明の一実施の形態の例の折畳み型携帯電話機の全開状態の正面図である。
【図７】本発明の一実施の形態の例の説明に供する表である。
【図８】本発明の一実施の形態の例の折畳み型携帯電話機のカメラを回転させた状態の外観図である。
【図９】本発明の一実施の形態の例のポケット内の折畳み型携帯電話機を示す斜視図である。
【図１０】本発明の他の実施の形態の例の折畳み型携帯電話機の全開状態の正面図である。
【図１１】本発明の他の実施の形態の例の折畳み型携帯電話機のカメラを回転させた状態の外観図である。
【図１２】本発明の他の実施の形態の例のポケット内の折畳み型携帯電話機を示す斜視図である。
【符号の説明】
１，２０１・・・・下側筐体、２・・・・操作ボタン群、３・・・・ジョグダイアル、４・・・・マイクロホン、１０・・・・ヒンジ部、１１，２１１・・・・上側筐体、１２・・・・メイン画面（表示装置）、１３・・・・スピーカ、２０・・・・カメラ（回動体）、２１・・・・レンズ、２２・・・・サブ画面（表示装置）、１１０・・・・制御部、１１５・・・・メモリ、１１６・・・・電源、１５０・・・・磁石、１５１，１５２・・・・センサ
【図１】
2004274404.tif 000003
【図２】
2004274404.tif 000004
【図３】
2004274404.tif 000005
【図４】
2004274404.tif 000006
【図５】
2004274404.tif 000007
【図６】
2004274404.tif 000008
【図７】
2004274404.tif 000009
【図８】
2004274404.tif 000010
【図９】
2004274404.tif 000011
【図１０】
2004274404.tif 000012
【図１１】
2004274404.tif 000013
【図１２】
2004274404.tif 000014